(57)【要約】【課題】操作性を向上させることができるようにする。【解決手段】操作検出部５１は、ユーザの操作による機能の動作の指示を検出し、操作判定部５２は、検出された前記指示に基づいて、前記第１の画像の撮影が指示されたか否かを判定し、表示制御部５３は、撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する。本発明は、デジタルビデオカメラに適用できる。【選択図】図５
2007194804.tif 000002
【特許請求の範囲】
【請求項１】
被写体の画像である第１の画像を撮影する撮影装置において、
ユーザの操作による機能の動作の指示を検出する検出手段と、
検出された前記指示に基づいて、前記第１の画像の撮影が指示されたか否かを判定する判定手段と、
撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する表示制御手段と
を備える撮影装置。
【請求項２】
前記表示制御手段は、撮影が指示されていないと判定された場合、前記第３の画像が、前記第１の画像に重畳されて表示されるように表示を制御する
請求項１の撮影装置。
【請求項３】
前記第２の画像は、ユーザにより各種の機能の動作を選択させる画面への遷移を指示するための第１のアイコンと、第１の記録媒体が装着されているとき、ユーザにより操作される可能性のある機能の動作を指示するための第２のアイコンと、第２の記録媒体が装着されているとき、ユーザにより操作される可能性のある機能の動作を指示するための第３のアイコンからなり、
前記第３の画像は、前記第２のアイコンおよび前記第３のアイコンである
請求項２の撮影装置。
【請求項４】
被写体の画像である第１の画像を撮影する撮影装置の撮影方法において、
ユーザの操作による機能の動作の指示を検出する検出ステップと、
検出された前記指示に基づいて、前記第１の画像の撮影が指示されたか否かを判定する判定ステップと、
撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する表示制御ステップと
を含む撮影方法。
【請求項５】
被写体の画像である第１の画像を撮影する撮影装置のコンピュータに、撮影処理を行わせるプログラムにおいて、
ユーザの操作による機能の動作の指示を検出する検出ステップと、
検出された前記指示に基づいて、前記第１の画像の撮影が指示されたか否かを判定する判定ステップと、
撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する表示制御ステップと
を含むプログラム。
【請求項６】
第１の記録媒体または第２の記録媒体を装着し、被写体の画像である第１の画像を撮影する撮影装置において、
前記第２の記録媒体の装着を検出する検出手段と、
検出された検出結果に基づいて、前記第２の記録媒体が装着されているか否かを判定する判定手段と、
前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御手段と
を備える撮影装置。
【請求項７】
前記表示制御手段は、前記第２の記録媒体が装着されていると判定された場合、前記第３の画像が、前記第１の画像に重畳されて表示されるように表示を制御する
請求項６の撮影装置。
【請求項８】
前記第２の画像は、ユーザによる各種の機能の動作を選択させる画面への遷移を指示するための第１のアイコンと、前記第１の記録媒体が装着されているとき、ユーザにより操作される可能性のある機能の動作を指示するための第２のアイコンと、前記第２の記録媒体が装着されているとき、ユーザにより操作される可能性のある機能の動作を指示するための第３のアイコンとからなり、
前記第３の画像は、前記第３のアイコンである
請求項７の撮影装置。
【請求項９】
前記第１の記録媒体は、メモリカードであり、前記第２の記録媒体は、磁気テープである
請求項６の撮影装置。
【請求項１０】
第１の記録媒体または第２の記録媒体を装着し、被写体の画像である第１の画像を撮影する撮影装置の撮影方法において、
前記第２の記録媒体の装着を検出する検出ステップと、
検出された検出結果に基づいて、前記第２の記録媒体が装着されているか否かを判定する判定ステップと、
前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップと
を含む撮影方法。
【請求項１１】
第１の記録媒体または第２の記録媒体を装着し、被写体の画像である第１の画像を撮影する撮影装置のコンピュータに、撮影処理を行わせるプログラムにおいて、
前記第２の記録媒体の装着を検出する検出ステップと、
検出された検出結果に基づいて、前記第２の記録媒体が装着されているか否かを判定する判定ステップと、
前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップと
を含むプログラム。
【請求項１２】
被写体の画像である第１の画像を再生する再生装置において、
ユーザの操作による機能の動作の指示を検出する検出手段と、
検出された前記指示に基づいて、前記第１の画像の再生が指示されたか否かを判定する判定手段と、
再生が指示されたと判定された場合、各種の機能の動作を指示するための第２の画像のうち、再生中にユーザにより操作される可能性のない機能の動作を指示するための第３の画像が、前記第１の画像に重畳されて表示されないように表示を制御する表示制御手段と
を備える再生装置。
【請求項１３】
前記表示制御手段は、再生が指示されていないと判定された場合、前記第３の画像が、前記第１の画像に重畳されて表示されるように表示を制御する
請求項１２の再生装置。
【請求項１４】
前記第２の画像は、ユーザにより各種の機能の動作を選択させる画面への遷移を指示するための第１のアイコンと、第１の記録媒体が装着されているとき、ユーザにより操作される可能性のある機能の動作を指示するための第２のアイコンと、第２の記録媒体が装着されているとき、ユーザにより操作される可能性のある機能の動作を指示するための第３のアイコンからなり、
前記第３の画像は、前記第２のアイコンおよび前記第３のアイコンである
請求項１３の再生装置。
【請求項１５】
被写体の画像である第１の画像を再生する再生装置の再生方法において、
ユーザの操作による機能の動作の指示を検出する検出ステップと、
検出された前記指示に基づいて、前記第１の画像の再生が指示されたか否かを判定する判定ステップと、
再生が指示されたと判定された場合、各種の機能の動作を指示するための第２の画像のうち、再生中にユーザにより操作される可能性のない機能の動作を指示するための第３の画像が、前記第１の画像に重畳されて表示されないように表示を制御する表示制御ステップと
を含む再生方法。
【請求項１６】
被写体の画像である第１の画像を再生する再生装置のコンピュータに、再生処理を行わせるプログラムにおいて、
ユーザの操作による機能の動作の指示を検出する検出ステップと、
検出された前記指示に基づいて、前記第１の画像の再生が指示されたか否かを判定する判定ステップと、
再生が指示されたと判定された場合、各種の機能の動作を指示するための第２の画像のうち、再生中にユーザにより操作される可能性のない機能の動作を指示するための第３の画像が、前記第１の画像に重畳されて表示されないように表示を制御する表示制御ステップと
を含むプログラム。
【請求項１７】
被写体の画像である第１の画像を再生する再生装置において、
装着される第１の記録媒体または第２の記録媒体のうち、前記第２の記録媒体の装着を検出する検出手段と、
検出された検出結果に基づいて、前記第２の記録媒体が装着されているか否かを判定する判定手段と、
前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御手段と
を備える再生装置。
【請求項１８】
前記表示制御手段は、前記第２の記録媒体が装着されていると判定された場合、前記第３の画像が、前記第１の画像に重畳されて表示されるように表示を制御する
請求項１７の再生装置。
【請求項１９】
前記第２の画像は、ユーザによる各種の機能の動作を選択させる画面への遷移を指示するための第１のアイコンと、前記第１の記録媒体が装着されているとき、ユーザにより操作される可能性のある機能の動作を指示するための第２のアイコンと、前記第２の記録媒体が装着されているとき、ユーザにより操作される可能性のある機能の動作を指示するための第３のアイコンとからなり、
前記第３の画像は、前記第３のアイコンである
請求項１８の再生装置。
【請求項２０】
前記第１の記録媒体は、メモリカードであり、前記第２の記録媒体は、磁気テープである
請求項１７の再生装置。
【請求項２１】
被写体の画像である第１の画像を再生する再生装置の再生方法において、
装着される第１の記録媒体または第２の記録媒体のうち、前記第２の記録媒体の装着を検出する検出ステップと、
検出された検出結果に基づいて、前記第２の記録媒体が装着されているか否かを判定する判定ステップと、
前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップと
を含む再生方法。
【請求項２２】
被写体の画像である第１の画像を再生する再生装置のコンピュータに、再生処理を行わせるプログラムにおいて、
装着される第１の記録媒体または第２の記録媒体のうち、前記第２の記録媒体の装着を検出する検出ステップと、
検出された検出結果に基づいて、前記第２の記録媒体が装着されているか否かを判定する判定ステップと、
前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップと
を含むプログラム。
【発明の詳細な説明】
【技術分野】
【０００１】
本発明は、撮影装置および方法、再生装置および方法、並びにプログラムに関し、特に、操作性を向上させることができるようにした撮影装置および方法、再生装置および方法、並びにプログラムに関する。
【背景技術】
【０００２】
指先などで直接画面に触れることにより操作を行うタッチパネルをLCD（Liquid Crystal Display）パネルに用いたデジタルビデオカメラが普及している。
【０００３】
最近のデジタルビデオカメラの多くは、複数の記録媒体を装着して、それらの装着された記録媒体に動画像や静止画像を記録する機能を有している。このようなデジタルビデオカメラには、記録媒体ごとにモードが用意されており、ユーザによりスイッチを切り替えられることで、それらのモードを切り替えていた。例えば、記録媒体として、磁気テープとメモリカードのそれぞれに記録を行うデジタルビデオカメラは、磁気テープへの記録を行う「テープ撮影モード」と、メモリカードへの記録を行う「メモリカード撮影モード」とが用意され、これらの２つのモードは、スイッチにより切り替えられる。
【０００４】
デジタルビデオカメラは、「テープ撮影モード」である場合、図１に示すように、磁気テープに記録されている動画像（静止画像）のレビューを指示するためのボタン１ａと、操作項目の一覧であるメニュー画面の表示を指示するためのボタン１ｃとがLCDパネルの画面に表示されている。また、デジタルビデオカメラは、「メモリカード撮影モード」である場合、図２に示すように、メモリカードに記録されている静止画像（動画像）のレビューを指示するためのボタン１ｂと、ボタン１ｃとがLCDパネルの画面に表示されている。
【０００５】
すなわち、従来のデジタルビデオカメラにおいて、「テープ撮影モード」では、磁気テープに関する機能のボタンを表示し、「メモリカード撮影モード」では、メモリカードに関する機能を指示するためのボタンを表示している。
【０００６】
また、デジタルビデオカメラには、記録媒体ごとのモードに関係なく、１つのモードで複数の記録媒体に動画像や静止画像を記録する機能を有しているものもある。例えば、記録媒体として、磁気テープとメモリカードのそれぞれに記録を行うデジタルビデオカメラは、上述したような、「テープ撮影モード」や「メモリカード撮影モード」などのモードと関係なく、磁気テープとメモリカードのそれぞれに、動画像や静止画像の記録を行う。
【０００７】
この場合、デジタルビデオカメラは、記録媒体に関係なく、１つのモードで記録を行うので、図３に示すように、ボタン１ａ乃至ボタン１ｃがそれぞれ、LCDパネルの画面に表示されている。
【０００８】
すなわち、従来のデジタルビデオカメラでは、１つのモードで（モードに関係なく）、磁気テープとメモリカードのそれぞれに動画像や静止画像を記録する場合、磁気テープとメモリカードとの両方に関する機能を指示するためのボタンを表示している。
【０００９】
さらに、第１の記録媒体の再生モードにおいて、第１の記録媒体が非再生中であって、かつ、第２の記録媒体が装着されていることを条件として、第２の記録媒体を再生するための第１のアイコンを表示させる撮像装置もある（例えば、特許文献１）。
【００１０】
【特許文献１】特開２００３−８９４６号公報
【発明の開示】
【発明が解決しようとする課題】
【００１１】
しかしながら、タッチパネルでは、表示されている画像の上にボタンを配置するために、ボタンが表示されている画像を隠してしまうことにより、ユーザにとっては、表示されている画像が見にくくなることがあるという問題があった。
【００１２】
例えば、従来のデジタルビデオカメラで画像を撮影する場合、ボタン１ａやボタン１ｂなどの撮影中に使用しないボタンが撮影している画像を隠してしまうことで見えにくくなり、ユーザにとっては、撮影している画像を確認しにくくなる可能性があった。
【００１３】
また、タッチパネルに配置されているボタンの中には、ユーザにとって、使用することのない不要なボタンもあり、それらのボタンが表示されていることにより、ユーザに対して不快感を与える可能性があった。
【００１４】
例えば、従来のデジタルビデオカメラでは、１つのモードで複数の記録媒体に動画像や静止画像を記録する場合、すべての記録媒体に関する機能のボタンを表示しているため、ある記録媒体を使用しないユーザにとっては、その記録媒体に関する機能を指示するためのボタンは不要であり、それらのボタンが表示されることでボタンの数が増えてしまい、不便に感じることもある。
【００１５】
具体的には、磁気テープとメモリカードのそれぞれに記録を行うデジタルビデオカメラでは、ボタン１ａ乃至ボタン１ｃがそれぞれ、LCDパネルの画面に表示されているため、例えば、メモリカードを使用しないユーザにとっては、ボタン１ｂは必要ないものであり、そのボタン１ｂが表示されていることにより、不快感を受けるユーザもいる。
【００１６】
さらに、例えば、特開２００３−８９４６号公報に開示されている撮像装置は、第１の記録媒体と第２の記録媒体とのモードを別にすることで、それぞれの記録媒体にデータを記録しているが、上述したように、技術の発展により、記録媒体ごとにモードを分けるのではなく、１つのモードで第１の記録媒体と第２の記録媒体との両方にデータを記録するようになってきており、その場合、モードごとにボタン（アイコン）の表示を制御している撮像装置では、最適にボタンを表示させることができない可能性がある。
【００１７】
本発明はこのような状況に鑑みてなされたものであり、操作性を向上させることができるようにするものである。
【課題を解決するための手段】
【００１８】
本発明の第１の側面は、被写体の画像である第１の画像を撮影する撮影装置において、ユーザの操作による機能の動作の指示を検出する検出手段と、検出された前記指示に基づいて、前記第１の画像の撮影が指示されたか否かを判定する判定手段と、撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する表示制御手段とを備える撮影装置である。
【００１９】
前記表示制御手段は、撮影が指示されていないと判定された場合、前記第３の画像が、前記第１の画像に重畳されて表示されるように表示を制御するようにすることができる。
【００２０】
前記第２の画像は、ユーザにより各種の機能の動作を選択させる画面への遷移を指示するための第１のアイコンと、第１の記録媒体が装着されているとき、ユーザにより操作される可能性のある機能の動作を指示するための第２のアイコンと、第２の記録媒体が装着されているとき、ユーザにより操作される可能性のある機能の動作を指示するための第３のアイコンからなり、前記第３の画像は、前記第２のアイコンおよび前記第３のアイコンであるようにすることができる。
【００２１】
本発明の第１の側面は、被写体の画像である第１の画像を撮影する撮影装置の撮影方法において、ユーザの操作による機能の動作の指示を検出する検出ステップと、検出された前記指示に基づいて、前記第１の画像の撮影が指示されたか否かを判定する判定ステップと、撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する表示制御ステップとを含む撮影方法である。
【００２２】
本発明の第１の側面は、被写体の画像である第１の画像を撮影する撮影装置のコンピュータに、撮影処理を行わせるプログラムにおいて、ユーザの操作による機能の動作の指示を検出する検出ステップと、検出された前記指示に基づいて、前記第１の画像の撮影が指示されたか否かを判定する判定ステップと、撮影が指示されたと判定された場合、各種の機能の動作を指示するための第２の画像のうち、撮影中にユーザにより操作される可能性のない機能の動作を指示するための第３の画像が、前記第１の画像に重畳されて表示されないように表示を制御する表示制御ステップとを含むプログラムである。
【００２３】
本発明の第１の側面においては、ユーザの操作による機能の動作の指示が検出され、検出された指示に基づいて、第１の画像の撮影が指示されたか否かが判定され、撮影が指示されたと判定された場合、各種の機能の動作を指示するための第２の画像のうち、撮影中にユーザにより操作される可能性のない機能の動作を指示するための第３の画像が、第１の画像に重畳されて表示されないように表示が制御される。
【００２４】
本発明の第２の側面は、第１の記録媒体または第２の記録媒体を装着し、被写体の画像である第１の画像を撮影する撮影装置において、前記第２の記録媒体の装着を検出する検出手段と、検出された検出結果に基づいて、前記第２の記録媒体が装着されているか否かを判定する判定手段と、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御手段とを備える撮影装置である。
【００２５】
前記表示制御手段は、前記第２の記録媒体が装着されていると判定された場合、前記第３の画像が、前記第１の画像に重畳されて表示されるように表示を制御するようにすることができる。
【００２６】
前記第２の画像は、ユーザによる各種の機能の動作を選択させる画面への遷移を指示するための第１のアイコンと、前記第１の記録媒体が装着されているとき、ユーザにより操作される可能性のある機能の動作を指示するための第２のアイコンと、前記第２の記録媒体が装着されているとき、ユーザにより操作される可能性のある機能の動作を指示するための第３のアイコンとからなり、前記第３の画像は、前記第３のアイコンであるようにすることができる。
【００２７】
前記第１の記録媒体は、メモリカードであり、前記第２の記録媒体は、磁気テープであるようにすることができる。
【００２８】
本発明の第２の側面は、第１の記録媒体または第２の記録媒体を装着し、被写体の画像である第１の画像を撮影する撮影装置の撮影方法において、前記第２の記録媒体の装着を検出する検出ステップと、検出された検出結果に基づいて、前記第２の記録媒体が装着されているか否かを判定する判定ステップと、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップとを含む撮影方法である。
【００２９】
本発明の第２の側面は、第１の記録媒体または第２の記録媒体を装着し、被写体の画像である第１の画像を撮影する撮影装置のコンピュータに、撮影処理を行わせるプログラムにおいて、前記第２の記録媒体の装着を検出する検出ステップと、検出された検出結果に基づいて、前記第２の記録媒体が装着されているか否かを判定する判定ステップと、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップとを含むプログラムである。
【００３０】
本発明の第２の側面においては、第２の記録媒体の装着が検出され、検出された検出結果に基づいて、第２の記録媒体が装着されているか否かが判定され、第２の記録媒体が装着されていないと判定された場合、各種の機能の動作を指示するための第２の画像のうち、第２の記録媒体が装着されているとき、ユーザにより操作される可能性のある機能の動作を指示するための第３の画像が、第１の画像に重畳されて表示されないように表示が制御される。
【００３１】
本発明の第３の側面は、被写体の画像である第１の画像を再生する再生装置において、ユーザの操作による機能の動作の指示を検出する検出手段と、検出された前記指示に基づいて、前記第１の画像の再生が指示されたか否かを判定する判定手段と、再生が指示されたと判定された場合、各種の機能の動作を指示するための第２の画像のうち、再生中にユーザにより操作される可能性のない機能の動作を指示するための第３の画像が、前記第１の画像に重畳されて表示されないように表示を制御する表示制御手段とを備える再生装置である。
【００３２】
前記表示制御手段は、再生が指示されていないと判定された場合、前記第３の画像が、前記第１の画像に重畳されて表示されるように表示を制御するようにすることができる。
【００３３】
前記第２の画像は、ユーザにより各種の機能の動作を選択させる画面への遷移を指示するための第１のアイコンと、第１の記録媒体が装着されているとき、ユーザにより操作される可能性のある機能の動作を指示するための第２のアイコンと、第２の記録媒体が装着されているとき、ユーザにより操作される可能性のある機能の動作を指示するための第３のアイコンからなり、前記第３の画像は、前記第２のアイコンおよび前記第３のアイコンであるようにすることができる。
【００３４】
本発明の第３の側面は、被写体の画像である第１の画像を再生する再生装置の再生方法において、ユーザの操作による機能の動作の指示を検出する検出ステップと、検出された前記指示に基づいて、前記第１の画像の再生が指示されたか否かを判定する判定ステップと、再生が指示されたと判定された場合、各種の機能の動作を指示するための第２の画像のうち、再生中にユーザにより操作される可能性のない機能の動作を指示するための第３の画像が、前記第１の画像に重畳されて表示されないように表示を制御する表示制御ステップとを含む再生方法である。
【００３５】
本発明の第３の側面は、被写体の画像である第１の画像を再生する再生装置のコンピュータに、再生処理を行わせるプログラムにおいて、ユーザの操作による機能の動作の指示を検出する検出ステップと、検出された前記指示に基づいて、前記第１の画像の再生が指示されたか否かを判定する判定ステップと、再生が指示されたと判定された場合、各種の機能の動作を指示するための第２の画像のうち、再生中にユーザにより操作される可能性のない機能の動作を指示するための第３の画像が、前記第１の画像に重畳されて表示されないように表示を制御する表示制御ステップとを含むプログラムである。
【００３６】
本発明の第３の側面においては、ユーザの操作による機能の動作の指示が検出され、検出された指示に基づいて、第１の画像の再生が指示されたか否かが判定され、再生が指示されたと判定された場合、各種の機能の動作を指示するための第２の画像のうち、再生中にユーザにより操作される可能性のない機能の動作を指示するための第３の画像が、第１の画像に重畳されて表示されないように表示が制御される。
【００３７】
本発明の第４の側面は、被写体の画像である第１の画像を再生する再生装置において、装着される第１の記録媒体または第２の記録媒体のうち、前記第２の記録媒体の装着を検出する検出手段と、検出された検出結果に基づいて、前記第２の記録媒体が装着されているか否かを判定する判定手段と、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御手段とを備える再生装置である。
【００３８】
前記表示制御手段は、前記第２の記録媒体が装着されていると判定された場合、前記第３の画像が、前記第１の画像に重畳されて表示されるように表示を制御するようにすることができる。
【００３９】
前記第２の画像は、ユーザによる各種の機能の動作を選択させる画面への遷移を指示するための第１のアイコンと、前記第１の記録媒体が装着されているとき、ユーザにより操作される可能性のある機能の動作を指示するための第２のアイコンと、前記第２の記録媒体が装着されているとき、ユーザにより操作される可能性のある機能の動作を指示するための第３のアイコンとからなり、前記第３の画像は、前記第３のアイコンであるようにすることができる。
【００４０】
前記第１の記録媒体は、メモリカードであり、前記第２の記録媒体は、磁気テープであるようにすることができる。
【００４１】
本発明の第４の側面は、被写体の画像である第１の画像を再生する再生装置の再生方法において、装着される第１の記録媒体または第２の記録媒体のうち、前記第２の記録媒体の装着を検出する検出ステップと、検出された検出結果に基づいて、前記第２の記録媒体が装着されているか否かを判定する判定ステップと、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップとを含む再生方法である。
【００４２】
本発明の第４の側面は、被写体の画像である第１の画像を再生する再生装置のコンピュータに、再生処理を行わせるプログラムにおいて、装着される第１の記録媒体または第２の記録媒体のうち、前記第２の記録媒体の装着を検出する検出ステップと、検出された検出結果に基づいて、前記第２の記録媒体が装着されているか否かを判定する判定ステップと、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示を制御する表示制御ステップとを含むプログラムである。
【００４３】
本発明の第４の側面においては、装着される第１の記録媒体または第２の記録媒体のうち、前記第２の記録媒体の装着が検出され、検出された検出結果に基づいて、前記第２の記録媒体が装着されているか否かが判定され、前記第２の記録媒体が装着されていないと判定された場合、各種の機能の動作を指示するための第２の画像のうち、前記第２の記録媒体が装着されているとき、ユーザにより操作される可能性のある機能の動作を指示するための第３の画像が、前記第１の画像に重畳されて表示されないように表示が制御される。
【発明の効果】
【００４４】
以上のように、本発明の第１の側面によれば、操作性を向上させることができる。
【００４５】
本発明の第２の側面によれば、操作性を向上させることができる。
【００４６】
本発明の第３の側面によれば、操作性を向上させることができる。
【００４７】
本発明の第４の側面によれば、操作性を向上させることができる。
【発明を実施するための最良の形態】
【００４８】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００４９】
本発明の第１の側面の撮影装置（例えば、図４のデジタルビデオカメラ１１）は、ユーザの操作による機能の動作の指示を検出する検出手段（例えば、図５の操作検出部５１）と、検出された指示に基づいて、第１の画像の撮影が指示されたか否かを判定する判定手段（例えば、図５の操作判定部５２）と、撮影が指示されたと判定された場合、各種の機能の動作を指示するための第２の画像のうち、撮影中にユーザにより操作される可能性のない機能の動作を指示するための第３の画像が、第１の画像に重畳されて表示されないように表示を制御する表示制御手段（例えば、図５の表示制御部５３）とを備える。
【００５０】
表示制御手段は、撮影が指示されていないと判定された場合、第３の画像が、第１の画像に重畳されて表示されるように表示を制御するようにすることができる。
【００５１】
第２の画像は、ユーザにより各種の機能の動作を選択させる画面（例えば、メニュー画面）への遷移を指示するための第１のアイコン（例えば、図７のボタン７１ｃ）と、第１の記録媒体（例えば、メモリカード）が装着されているとき、ユーザにより操作される可能性のある機能の動作を指示するための第２のアイコン（例えば、図７のボタン７１ｂ）と、第２の記録媒体（例えば、磁気テープ）が装着されているとき、ユーザにより操作される可能性のある機能の動作を指示するための第３のアイコン（例えば、図７のボタン７１ａ）からなり、第３の画像は、第２のアイコンおよび第３のアイコンであるようにすることができる。
【００５２】
本発明の第１の側面の撮影方法またはプログラムは、ユーザの操作による機能の動作の指示を検出する検出ステップ（例えば、図６のステップＳ１４の処理）と、検出された指示に基づいて、第１の画像の撮影が指示されたか否かを判定する判定ステップ（例えば、図６のステップＳ１５の処理）と、撮影が指示されたと判定された場合、各種の機能の動作を指示するための第２の画像のうち、撮影中にユーザにより操作される可能性のない機能の動作を指示するための第３の画像が、第１の画像に重畳されて表示されないように表示を制御する表示制御ステップ（例えば、図６のステップＳ１６の処理）とを含む。
【００５３】
本発明の第１の側面のプログラムは、記録媒体（例えば、図２０のリムーバブルメディア２２１）に記録することができる。
【００５４】
本発明の第２の側面の撮影装置は、第２の記録媒体（例えば、磁気テープ）の装着を検出する検出手段（例えば、図１０の記録媒体検出部１２１）と、検出された検出結果に基づいて、第２の記録媒体が装着されているか否かを判定する判定手段（例えば、図１０の記録媒体判定部１２２）と、第２の記録媒体が装着されていないと判定された場合、各種の機能の動作を指示するための第２の画像のうち、第２の記録媒体が装着されているとき、ユーザにより操作される可能性のある機能の動作を指示するための第３の画像が、第１の画像に重畳されて表示されないように表示を制御する表示制御手段（例えば、図１０の表示制御部１２３）とを備える。
【００５５】
表示制御手段は、第２の記録媒体が装着されていると判定された場合、第３の画像が、第１の画像に重畳されて表示されるように表示を制御するようにすることができる。
【００５６】
第２の画像は、ユーザによる各種の機能の動作を選択させる画面（例えば、メニュー画面）への遷移を指示するための第１のアイコン（例えば、図１４のボタン１４１ｃ）と、第１の記録媒体（例えば、メモリカード）が装着されているとき、ユーザにより操作される可能性のある機能の動作を指示するための第２のアイコン（例えば、図１４のボタン１４１ｂ）と、第２の記録媒体（例えば、磁気テープ）が装着されているとき、ユーザにより操作される可能性のある機能の動作を指示するための第３のアイコン（例えば、図１４のボタン１４１ａ）とからなり、第３の画像は、第３のアイコンであるようにすることができる。
【００５７】
第１の記録媒体は、メモリカードであり、第２の記録媒体は、磁気テープであるようにすることができる。
【００５８】
本発明の第２の側面の撮像方法またはプログラムは、第２の記録媒体（例えば、磁気テープ）の装着を検出する検出ステップ（例えば、図１６のステップＳ７１の処理）と、検出された検出結果に基づいて、第２の記録媒体が装着されているか否かを判定する判定ステップ（例えば、図１６のステップＳ７２の処理）と、第２の記録媒体が装着されていないと判定された場合、各種の機能の動作を指示するための第２の画像のうち、第２の記録媒体が装着されているとき、ユーザにより操作される可能性のある機能の動作を指示するための第３の画像が、第１の画像に重畳されて表示されないように表示を制御する表示制御ステップ（例えば、図１６のステップＳ７３の処理）とを含む。
【００５９】
本発明の第２の側面のプログラムは、記録媒体（例えば、図２０のリムーバブルメディア２２１）に記録することができる。
【００６０】
本発明の第３の側面の再生装置（例えば、図４のデジタルビデオカメラ１１）は、ユーザの操作による機能の動作の指示を検出する検出手段（例えば、図５の操作検出部５１）と、検出された指示に基づいて、第１の画像の再生が指示されたか否かを判定する判定手段（例えば、図５の操作判定部５２）と、再生が指示されたと判定された場合、各種の機能の動作を指示するための第２の画像のうち、再生中にユーザにより操作される可能性のない機能の動作を指示するための第３の画像が、第１の画像に重畳されて表示されないように表示を制御する表示制御手段（例えば、図５の表示制御部５３）とを備える。
【００６１】
表示制御手段は、再生が指示されていないと判定された場合、第３の画像が、第１の画像に重畳されて表示されるように表示を制御するようにすることができる。
【００６２】
第２の画像は、ユーザにより各種の機能の動作を選択させる画面（例えば、メニュー画面）への遷移を指示するための第１のアイコン（例えば、図７のボタン７１ｃ）と、第１の記録媒体（例えば、メモリカード）が装着されているとき、ユーザにより操作される可能性のある機能の動作を指示するための第２のアイコン（例えば、図７のボタン７１ｂ）と、第２の記録媒体（例えば、磁気テープ）が装着されているとき、ユーザにより操作される可能性のある機能の動作を指示するための第３のアイコン（例えば、図７のボタン７１ａ）からなり、第３の画像は、第２のアイコンおよび第３のアイコンであるようにすることができる。
【００６３】
本発明の第３の側面の再生方法またはプログラムは、ユーザの操作による機能の動作の指示を検出する検出ステップ（例えば、図６のステップＳ１４の処理）と、検出された指示に基づいて、第１の画像の再生が指示されたか否かを判定する判定ステップ（例えば、図６のステップＳ１５の処理）と、再生が指示されたと判定された場合、各種の機能の動作を指示するための第２の画像のうち、再生中にユーザにより操作される可能性のない機能の動作を指示するための第３の画像が、第１の画像に重畳されて表示されないように表示を制御する表示制御ステップ（例えば、図６のステップＳ１６の処理）とを含む。
【００６４】
本発明の第３の側面のプログラムは、記録媒体（例えば、図２０のリムーバブルメディア２２１）に記録することができる。
【００６５】
本発明の第４の側面の再生装置は、装着される第１の記録媒体（例えば、メモリカード）または第２の記録媒体（例えば、磁気テープ）のうち、第２の記録媒体の装着を検出する検出手段（例えば、図１０の記録媒体検出部１２１）と、検出された検出結果に基づいて、第２の記録媒体が装着されているか否かを判定する判定手段（例えば、図１０の記録媒体判定部１２２）と、第２の記録媒体が装着されていないと判定された場合、各種の機能の動作を指示するための第２の画像のうち、第２の記録媒体が装着されているとき、ユーザにより操作される可能性のある機能の動作を指示するための第３の画像が、第１の画像に重畳されて表示されないように表示を制御する表示制御手段（例えば、図１０の表示制御部１２３）とを備える。
【００６６】
表示制御手段は、第２の記録媒体が装着されていると判定された場合、第３の画像が、第１の画像に重畳されて表示されるように表示を制御するようにすることができる。
【００６７】
第２の画像は、ユーザによる各種の機能の動作を選択させる画面（例えば、メニュー画面）への遷移を指示するための第１のアイコン（例えば、図１４のボタン１４１ｃ）と、第１の記録媒体（例えば、メモリカード）が装着されているとき、ユーザにより操作される可能性のある機能の動作を指示するための第２のアイコン（例えば、図１４のボタン１４１ｂ）と、第２の記録媒体（例えば、磁気テープ）が装着されているとき、ユーザにより操作される可能性のある機能の動作を指示するための第３のアイコン（例えば、図１４のボタン１４１ａ）とからなり、第３の画像は、第３のアイコンであるようにすることができる。
【００６８】
第１の記録媒体は、メモリカードであり、第２の記録媒体は、磁気テープであるようにすることができる。
【００６９】
本発明の第４の側面の再生方法またはプログラムは、装着される第１の記録媒体（例えば、メモリカード）または第２の記録媒体（例えば、磁気テープ）のうち、第２の記録媒体の装着を検出する検出ステップ（例えば、図１６のステップＳ７１の処理）と、検出された検出結果に基づいて、第２の記録媒体が装着されているか否かを判定する判定ステップ（例えば、図１６のステップＳ７２の処理）と、第２の記録媒体が装着されていないと判定された場合、各種の機能の動作を指示するための第２の画像のうち、第２の記録媒体が装着されているとき、ユーザにより操作される可能性のある機能の動作を指示するための第３の画像が、第１の画像に重畳されて表示されないように表示を制御する表示制御ステップ（例えば、図１６のステップＳ７３の処理）とを含む。
【００７０】
本発明の第４の側面のプログラムは、記録媒体（例えば、図２０のリムーバブルメディア２２１）に記録することができる。
【００７１】
以下、図面を参照しながら本発明の実施の形態について説明する。
【００７２】
図４は、本発明を適用したデジタルビデオカメラ１１の一実施の形態の構成を示すブロック図である。
【００７３】
デジタルビデオカメラ１１は、その内部にタッチパネルを有する、撮影装置または再生装置の一例である。なお、本実施の形態では、デジタルビデオカメラ１１を例にして説明するが、これに限らず、例えば、デジタルスチルカメラ、携帯電話、PDA（Personal Digital Assistance）、PHS（Personal Handyphone System）など、タッチパネルを有する機器にも適用することができる。
【００７４】
デジタルビデオカメラ１１は、マイクロプロセッサ２１、レンズ２２、CCD（Charge Coupled Device）２３、ビデオ信号処理回路２４、記録再生処理回路２５、スチルカメラ信号処理回路２７、一時記憶部２８、記録再生処理回路２９、操作部３１、オンスクリーンディスプレイ回路３２、重畳回路３３、およびLCDパネル３４を含むようにして構成される。また、デジタルビデオカメラ１１には、例えば、記録媒体２６と記録媒体３０との２つの記録媒体がそれぞれ適宜装着される。
【００７５】
マイクロプロセッサ２１は、例えば、レンズ２２、ビデオ信号処理回路２４、記録再生処理回路２５、スチルカメラ信号処理回路２７、記録再生処理回路２９、オンスクリーンディスプレイ回路３２など、デジタルビデオカメラ１１の各部を制御する。
【００７６】
レンズ２２は、被写体に反射した光（の像）を集め、すなわち、被写体の像の光をCCD２３の受光部に結像させる。また、レンズ２２は、マイクロプロセッサ２１により駆動される。
【００７７】
CCD２３は、CCDセンサから構成され、レンズ２２により結像された光（の像）を光電変換することにより、光をアナログの電気信号に変換する。CCD２３は、変換したアナログの画像信号をビデオ信号処理回路２４またはスチルカメラ信号処理回路２７のいずれかに供給する。
【００７８】
すなわち、デジタルビデオカメラ１１が動画像と静止画像との両方を記録することができるので、例えば、CCD２３は、動画像を記録する場合、アナログの画像信号をビデオ信号処理回路２４に供給し、静止画像を記録する場合、アナログの画像信号をスチルカメラ信号処理回路２７に供給する。
【００７９】
なお、CCD２３は、CCDセンサに限らず、例えば、CMOS（Complementary Metal Oxide Semiconductor）センサなど、画素を単位として画像の信号を生成する撮像素子であればよい。
【００８０】
ビデオ信号処理回路２４は、例えば、DSP（Digital Signal Processor）などから構成される。ビデオ信号処理回路２４は、マイクロプロセッサ２１の制御の基に、CCD２３から供給されるアナログの画像信号を、デジタルの画像データに変換する。ビデオ信号処理回路２４は、マイクロプロセッサ２１の制御の基に、変換されたデジタルの画像データに対して、所定の処理を施し、所定の処理を施すことにより得られた画像データを記録再生処理回路２５に供給する。
【００８１】
ここで、ビデオ信号処理回路２４による所定の処理では、例えば、レンズ２２やCCD２３などに起因した劣化に対しての補正処理、または画像データに対する、ホワイトバランスやガンマ補正、解像度の変換、圧縮伸張、若しくはJPEG（Joint Photographic Experts Group）方式でのコーディングなどの処理が行われる。なお、ビデオ信号処理回路２４は、所定の処理のうち、すべてを実行するのではなく、それらの処理のうちの一部を、後述する記録再生処理回路２５が行うようにしてもよい。
【００８２】
記録再生処理回路２５は、画像データを記録媒体２６に記録する場合、ビデオ信号処理回路２４から供給される画像データを、記録媒体２６に記録するのに適した方式に変調するなどの処理を行い、記録媒体２６に供給し、記録する。記録媒体２６は、例えば、磁気テープ（テープ）またはDVD（Digital Versatile Disk）などにより構成され、必要に応じてデジタルビデオカメラ１１に装着される。また、記録媒体２６は、後述する記録媒体３０と同一の記録媒体として構成することも可能である。なお、記録媒体２６には、例えば、ハードディスクなどの記録装置を用いるようにしてもよい。
【００８３】
また、記録再生処理回路２５は、記録媒体２６に記録されている画像データを再生する場合、記録媒体２６から読み出した画像データを、LCDパネル３４に表示するのに適した方式に復調するなどの処理を行い、重畳回路３３に供給する。重畳回路２３は、記録再生処理回路２５から供給される画像データと、オンスクリーンディスプレイ回路３２から供給される各種のボタン（アイコン）などをLCDパネル３４の画面に表示させるための画像データとを重畳させ、重畳することにより得られた画像データを、LCDパネル３４に出力し、表示させる。
【００８４】
スチルカメラ信号処理回路２７は、例えば、DSPなどから構成され、マイクロプロセッサ２１の制御の基に、CCD２３から供給されるアナログの画像信号をデジタルの画像データに変換する。スチルカメラ信号処理回路２７は、マイクロプロセッサ２１の制御の基に、変換されたデジタルの画像データに対して、所定の処理を施し、所定の処理を施すことにより得られた画像データを一時記憶部２８に供給し、記憶させる。
【００８５】
ここで、スチルカメラ信号処理回路２７による所定の処理では、例えば、ビデオ信号処理回路２４による処理と同様に、補正処理などの処理が行われる。なお、スチルカメラ信号処理回路２７は、所定の処理のうち、すべてを実行するのではなく、それらの処理のうちの一部を、後述する記録再生処理回路２９が行うようにしてもよい。
【００８６】
記録再生処理回路２９は、画像データを記録媒体３０に記録する場合、一時記憶部２８から読み出された画像データであって、スチルカメラ信号処理回路２７から供給された画像データを、記録媒体３０に記録するのに適した方式に変調するなどの処理を行い、記録媒体３０に供給し、記録する。記録媒体３０は、例えば、メモリスティック（商標）などのメモリカードにより構成され、必要に応じてデジタルビデオカメラ１１に装着される。もちろん、記録媒体３０は、記録媒体２６と同一の記録媒体として構成することも可能である。
【００８７】
また、記録再生処理回路２９は、記録媒体３０に記録されている画像データを再生する場合、記録媒体３０から読み出した画像データを、LCDパネル３４に表示するのに適した方式に復調するなどの処理を行い、重畳回路３３に供給する。重畳回路３３は、記録再生処理回路２９から供給される画像データと、オンスクリーンディスプレイ回路３２から供給される各種のボタン（アイコン）などをLCDパネル３４の画面に表示させるための画像データとを重畳させ、重畳することにより得られた画像データを、LCDパネル３４に出力し、表示させる。
【００８８】
操作部３１は、ユーザの操作に対応する信号（以下、ユーザ操作信号と称する）を、マイクロプロセッサ２１に供給する。操作部３１は、電源ボタン３１ａおよび撮影ボタン３１ｂを含むようにして構成される。電源ボタン３１ａは、例えば、ユーザにより電源をオンまたはオフするときに操作され、撮影ボタン３１ｂは、例えば、ユーザにより撮影を開始または終了するときに操作される。
【００８９】
マイクロプロセッサ２１は、操作部３１からのユーザ操作信号を基に、各種の処理を実行する。例えば、マイクロプロセッサ２１は、操作部３１（電源ボタン３１ａ）からのユーザ操作信号が、電源オンを指示するものであった場合、オンスクリーンディスプレイ回路３２を制御して、電源オン時にLCDパネル３４に表示させるボタン（アイコン）の画像データを重畳回路３３に供給させる。
【００９０】
重畳回路３３は、オンスクリーンディスプレイ回路３２から供給される各種のボタン（アイコン）などの画像データと、記録再生処理回路２５または記録再生処理部２９のいずれかから供給される画像データとを重畳させ、重畳することにより得られた画像データをLCDパネル３４に出力し、表示させる。
【００９１】
LCDパネル３４は、重畳回路３３から供給される画像データを基に、画像データに応じた画像を表示する。これにより、例えば、レンズ２２によりCCD２３の受光部に結像された被写体の画像データに応じた画像が、LCDパネル３４の画面に表示される。
【００９２】
LCDパネル３４は、タッチパネル４１を含むようにして構成される。タッチパネル４１は、LCDパネル３４を透過するようになされており、LCDパネル３４の画面に表示された操作画面のボタン（アイコン）などを選択するユーザの操作を受け付けて、その操作位置の位置情報を示す信号（以下、パネル操作信号と称する）をマイクロプロセッサ２１に供給する。
【００９３】
マイクロプロセッサ２１は、タッチパネル４１から供給されるパネル操作信号を基に、各種の処理を実行する。例えば、マイクロプロセッサ２１は、パネル操作信号が記録媒体２６に記録されている動画像（静止画像）のレビューを指示するものであった場合、記録再生処理回路２５およびオンスクリーンディスプレイ回路３２のそれぞれを制御して、記録媒体２６に記録されている動画像（静止画像）をLCDパネル３４の画面に表示させる。
【００９４】
なお、図示は省略するが、デジタルビデオカメラ１１においては、マイクロホンから取り込まれた音声信号に対しても、所定の処理が施され、所定の処理を施すことにより得られた音声データは、例えば、記録媒体２６に記録される。
【００９５】
図５は、図４のデジタルビデオカメラ１１の機能的構成例を示すブロック図である。
【００９６】
デジタルビデオカメラ１１は、操作検出部５１、操作判定部５２、および表示制御部５３を含むようにして構成される。
【００９７】
なお、本実施の形態では、デジタルビデオカメラ１１は、上述した図４のハードウェア構成を有しているので、操作検出部５１、操作判定部５２、および表示制御部５３は、例えば、図４のマイクロプロセッサ２１が実行するソフトウェア（プログラム）として構成されている。ただし、デジタルビデオカメラ１１のハードウェア構成を図４の構成とは異ならせることで、操作検出部５１、操作判定部５２、または表示制御部５３は、ハードウェア単体として構成することもできるし、ソフトウェアとハードウェアの組み合わせとして構成することもできる。
【００９８】
操作検出部５１は、操作部３１から供給されるユーザ操作信号を基に、ユーザによる、操作部３１（例えば、電源ボタン３１ａ、撮影ボタン３１ｂなど）の操作を検出する。操作検出部５１は、検出結果を操作判定部５２に供給する。
【００９９】
操作判定部５２は、操作検出部５１から供給される検出結果を基に、例えば、電源オン、電源オフ、撮影開始、または撮影終了などの各種の操作がされたか否かを判定する。操作検出部５１は、判定結果を表示制御部５３に供給する。
【０１００】
表示制御部５３は、操作判定部５２から供給される判定結果を基に、各種のボタン（アイコン）（例えば、後述するボタン７１ａ乃至ボタン７１ｃ）などの画像データと、撮影された被写体の画像データとが重畳している画像データに対応する所定の画面が、LCDパネル３４の画面に表示されるように表示を制御する。
【０１０１】
次に、デジタルビデオカメラ１１の動作について説明する。例えば、ユーザは、デジタルビデオカメラ１１を使用するとき、まず、電源ボタン３１ａを押下することで電源をオンにしてから、撮影ボタン３１ｂを押下して、被写体の撮影を開始する。また、逆に、ユーザは、デジタルビデオカメラ１１の使用をやめるとき、まず、撮影ボタン３１ｂ（もちろん、撮影ボタン３１ｂとは別に、操作停止ボタンを設けるようにしてもよいが、ここでは、説明を分かり易くするために、撮影ボタン３１ｂを再度押下することにより撮影を終了させることができるとして説明する）を押下することで撮影を終了してから、電源ボタン３１ａを押下して、電源をオフにする。
【０１０２】
したがって、ユーザが撮影時に行う、デジタルビデオカメラ１１の電源をオンにしてからオフにするまでの処理の一例として、図６のフローチャートを参照して、デジタルビデオカメラ１１による、撮影時のボタン表示の処理について説明する。
【０１０３】
マイクロプロセッサ２１は、操作部３１を介してユーザにより所定の操作が指示されたとき、図６のフローチャートに示される処理を各部に実行させる。なお、このとき、デジタルビデオカメラ１１には、記録媒体２６として磁気テープが装着され、記録媒体３０としてメモリカードが装着されているものとする。
【０１０４】
ステップＳ１１において、操作検出部５１は、ユーザによる電源ボタン３１ａの操作を検出し、検出結果を操作判定部５２に供給する。
【０１０５】
ステップＳ１２において、操作判定部５２は、操作検出部５１から供給される検出結果を基に、デジタルビデオカメラ１１の電源オンが指示されたか否かを判定する。
【０１０６】
ステップＳ１２において、電源オンが指示されていないと判定された場合、ステップＳ１１に戻り、上述した処理が繰り返される。すなわち、デジタルビデオカメラ１１は、ユーザにより電源がオンされるまで動作しないことになる。
【０１０７】
一方、ステップＳ１２において、電源オンが指示されたと判定された場合、ステップＳ１３に進み、表示制御部５３は、操作判定部５２から供給される判定結果を基に、電源オン時に表示させる所定の画面（すなわち、撮影時以外に表示させる画面）をLCDパネル３４の画面に表示させる。
【０１０８】
例えば、ステップＳ１３において、表示制御部５３は、操作判定部５２から供給される判定結果を基に、図７に示すような、磁気テープに記録されている動画像（静止画像）のレビューを指示するためのボタン７１ａ、メモリカードに記録されている静止画像（動画像）のレビューを指示するためのボタン７１ｂ、および操作項目の一覧であるメニュー画面の表示を指示するためのボタン７１ｃが、被写体の画像に重畳されている画像をLCDパネル３４の画面に表示させる。
【０１０９】
すなわち、デジタルビデオカメラ１１では、電源がオンされ、かつ、撮影開始前であるとき、磁気テープとメモリカードが装着されており、磁気テープに記録されている動画像のレビュー、メモリカードに記録されている静止画像のレビュー、およびメニュー画面のそれぞれが有効な機能（ユーザにより操作される可能性のある機能）となっているので、それらの機能の動作を指示するボタン７１ａ乃至ボタン７１ｃのそれぞれが、LCDパネル３４の画面に表示されている。
【０１１０】
図６のフローチャートに戻り、ステップＳ１４において、操作検出部５１は、ユーザによる撮影ボタン３１ｂの操作を検出し、検出結果を操作判定部５２に供給する。
【０１１１】
ステップＳ１５において、操作判定部５２は、操作検出部５１から供給される検出結果を基に、撮影の開始が指示されたか否かを判定する。
【０１１２】
ステップＳ１５において、撮影の開始が指示されていないと判定された場合、ステップＳ１４に戻り、上述した処理が繰り返される。すなわち、デジタルビデオカメラ１１は、ユーザにより撮影ボタン３１ｂが押下されるまで、電源がオンされた状態で待機していることになる。
【０１１３】
一方、ステップＳ１５において、撮影の開始が指示されたと判定された場合、ステップＳ１６に進み、表示制御部５３は、操作判定部５２から供給される判定結果を基に、撮影時に表示させる所定の画面をLCDパネル３４の画面に表示させる。
【０１１４】
例えば、ステップＳ１６において、表示制御部５３は、操作判定部５２から供給される判定結果を基に、図８に示すような、ボタン７１ｃが被写体の画像に重畳されている画像をLCDパネル３４の画面に表示させる。
【０１１５】
すなわち、デジタルビデオカメラ１１では、電源がオンされ、かつ、撮影が開始されたとき、磁気テープに記録されている動画像のレビューと、メモリカードに記録されている静止画像のレビューとが、撮影中に無効となる機能（ユーザにより操作される可能性のない機能）であり、メニュー画面が、撮影中に有効となる機能（ユーザにより操作される可能性のある機能）であるので、メニュー画面の動作を指示するボタン７１ｃのみが、LCDパネル３４の画面に表示されている。
【０１１６】
このように、デジタルビデオカメラ１１においては、装着されている記録媒体やモードに関係なく、撮影中に有効となる機能の動作を指示するボタンは表示し、撮影中に無効となる機能の動作を指示するボタンは非表示にしているので、撮影時にボタンにより被写体の画像が隠されてしまう可能性を少なくすることができる。
【０１１７】
図６のフローチャートに戻り、ステップＳ１７において、操作検出部５１は、ユーザによる操作ボタン３１ｂ（操作停止ボタン）の操作を検出し、検出結果を操作判定部５２に供給する。
【０１１８】
ステップＳ１８において、操作判定部５２は、操作検出部５１から供給される検出結果を基に、撮影の終了が指示されたか否かを判定する。
【０１１９】
ステップＳ１８において、撮影の終了が指示されていないと判定された場合、ステップＳ１７に戻り、上述した処理が繰り返される。すなわち、デジタルビデオカメラ１１は、ユーザにより撮影ボタン３１ｂ（操作停止ボタン）が再度押下されるまで、撮影を継続する。
【０１２０】
一方、ステップＳ１８において、撮影の終了が指示されたと判定された場合、ステップＳ１９に進み、表示制御部５３は、操作判定部５２から供給される判定結果を基に、撮影終了時に表示させる所定の画面（すなわち、撮影時以外に表示させる画面）をLCDパネル３４の画面に表示させる。
【０１２１】
例えば、ステップＳ１９において、表示制御部５３は、操作判定部５２から供給される判定結果を基に、上述した、図７に示すような、ボタン７１ａ乃至ボタン７１ｃが被写体の画像に重畳されている画像をLCDパネル３４の画面に表示させる。
【０１２２】
すなわち、デジタルビデオカメラ１１では、電源がオンされ、かつ、撮影が終了したとき、磁気テープとメモリカードが装着されており、磁気テープに記録されている動画像のレビュー、メモリカードに記録されている静止画像レビュー、およびメニュー画面がそれぞれ有効な機能（ユーザにより操作される可能性のある機能）となっているので、それらの機能の動作を指示するボタン７１ａ乃至ボタン７１ｃのそれぞれが、LCDパネル３４の画面に表示されている。
【０１２３】
図６のフローチャートに戻り、ステップＳ２０において、操作検出部５１は、ユーザによる電源ボタン３１ａの操作を検出し、検出結果を操作判定部５２に供給する。
【０１２４】
ステップＳ２１において、操作判定部５２は、操作検出部５１から供給される検出結果を基に、電源オフが指示されたか否かを判定する。
【０１２５】
ステップＳ２１において、電源オフが指示されていないと判定された場合、ステップＳ２０に戻り、上述した処理が繰り返される。すなわち、デジタルビデオカメラ１１は、ユーザにより電源ボタン３１ａが再度押下されるまで、電源がオンされた状態で待機していることになる。
【０１２６】
一方、ステップＳ２１において、電源オフが指示されたと判定された場合、デジタルビデオカメラ１１の電源がオフされたので、デジタルビデオカメラ１１による、撮影時のボタン表示の処理は終了する。
【０１２７】
このように、デジタルビデオカメラ１１は、装着されている記録媒体（例えば、磁気テープやメモリカードなど）やモード（例えば、「テープ撮影モード」や「メモリカード撮影モード」など）とは関係なく、LCDパネル３４の画面に表示されているボタンの表示を変更することができる。
【０１２８】
すなわち、デジタルビデオカメラ１１では、装着されている記録媒体やモードに関係なく、撮影時に動作できない無効な機能を指示するボタンを非表示にしているので、本来、撮影する画像を確認するためのLCDパネル３４の画面に不要なボタンが表示されず、ボタンにより撮影する画像が隠れてしまうことを防止することができる。その結果、撮影時に、ボタンにより撮影する画像が隠されることが少なくなり、ユーザは、画像を十分に確認しながら撮影することができる。
【０１２９】
なお、上述した例においては、撮影時にLCDパネル３４の画面に表示されるボタンとして、ボタン７１ｃを説明し、撮影時以外に表示されるボタンとして、ボタン７１ａ乃至ボタン７１ｃのそれぞれを説明したが、本発明はそれに限定されるものではない。
【０１３０】
具体的には、ボタン７１ａおよびボタン７１ｂのそれぞれは、撮影時に無効となる磁気テープとメモリカードに関する機能を指示するためのボタンであるが、もちろん、その他の撮影時に無効となる機能を指示するためのボタンであってもよいし、ボタン７１ｃは、撮影時に有効となるメニュー画面の表示を指示するためのボタンであるが、その他の撮影時に有効となる機能を指示するボタンであってもよい。
【０１３１】
また、例えば、磁気テープに関する機能を指示するボタンとして、ボタン７１ａを一例として説明したが、本実施の形態では、磁気テープに記録されている動画像（静止画像）の削除、撮影する動画像（静止画像）の記録フォーマットやサイズの変更、動画像（静止画像）の撮影などの、磁気テープに関する各種の機能を指示するためのボタンであればよい。また、同様に、例えば、メモリカードに関する機能を指示するボタンとして、ボタン７１ｂを一例として説明したが、本実施の形態では、メモリカードに記録されている静止画像（動画像）の削除、撮影する静止画像（動画像）の記録フォーマットやサイズの変更、静止画像（動画像）の撮影などの、メモリカードに関する各種の機能を指示するためのボタンであればよい。
【０１３２】
すなわち、撮影時において、デジタルビデオカメラ１１では、撮影時に有効となる機能を指示するボタンを表示させ、撮影時に無効となる機能を指示するボタンは非表示にしているので、それらの条件を満たすボタンであればいずれであってもよい。
【０１３３】
ところで、複数の記録媒体を装着できるデジタルビデオカメラを使用するユーザによっては、使用する記録媒体と、使用しない記録媒体とがでてきてしまう可能性がある。したがって、以下、記録媒体の装着の有無に基づいて、ボタンの表示を変更する方法について説明する。
【０１３４】
図９は、本発明を適用したデジタルビデオカメラ１０１の一実施の形態の構成を示すブロック図である。
【０１３５】
なお、図９では、図４と同様の箇所には、同一の符号が付してありその説明は省略する。すなわち、図９において、デジタルビデオカメラ１０１は、図４のデジタルビデオカメラ１１に、さらに、検出部１１１と検出部１１２とが追加されるようにして構成される。
【０１３６】
検出部１１１は、例えば、記録媒体２６を検知するセンサなどからなり、記録媒体２６が装着された場合、記録媒体２６が装着されたことを示す信号（以下、第１の装着信号と称する）を、マイクロプロセッサ２１に供給する。
【０１３７】
マイクロプロセッサ２１は、検出部１１１から供給される第１の装着信号を基に、各種の処理を実行する。例えば、マイクロプロセッサ２１は、検出部１１１から第１の装着信号が供給された場合、オンスクリーンディスプレイ回路３２を制御して、記録媒体２６が装着された時にLCDパネル３４に表示させるボタン（アイコン）の画像データを重畳回路３３に供給させる。
【０１３８】
検出部１１２は、検出部１１１と同様に、記録媒体３０を検知するセンサなどからなり、記録媒体３０が装着された場合、記録媒体３０が装着されたことを示す信号（以下、第２の装着信号と称する）を、マイクロプロセッサ２１に供給する。
【０１３９】
マイクロプロセッサ２１は、検出部１１２から供給される第２の装着信号を基に、各種の処理を実行する。例えば、マイクロプロセッサ２１は、検出部１１２から第２の操作信号が供給された場合、オンスクリーンディスプレイ回路３２を制御して、記録媒体３０が装着された時にLCDパネル３４に表示させるボタン（アイコン）の画像データを重畳回路３３に供給させる。
【０１４０】
図１０は、図９のデジタルビデオカメラ１０１の機能的構成例を示すブロック図である。
【０１４１】
デジタルビデオカメラ１０１は、記録媒体検出部１２１、記録媒体判定部１２２、および表示制御部１２３を含むようにして構成される。
【０１４２】
なお、本実施の形態では、デジタルビデオカメラ１０１は、上述した図９のハードウェア構成を有しているので、記録媒体検出部１２１、記録媒体判定部１２２、および表示制御部１２３は、例えば、図９のマイクロプロセッサ２１が実行するソフトウェア（プログラム）として構成されている。ただし、デジタルビデオカメラ１０１のハードウェア構成を図９の構成とは異ならせることで、記録媒体検出部１２１、記録媒体判定部１２２、または表示制御部１２３は、ハードウェア単体として構成することもできるし、ソフトウェアとハードウェアの組み合わせとして構成することもできる。
【０１４３】
記録媒体検出部１２１は、検出部１１１から供給される第１の装着信号を基に、記録媒体２６の装着を検出する。また、記録媒体検出部１２１は、検出部１１２から供給される第２の装着信号を基に、記録媒体３０の装着を検出する。記録媒体検出部１２１は、検出結果を記録媒体判定部１２２に供給する。
【０１４４】
記録媒体判定部１２２は、記録媒体検出部１２１から供給される検出結果を基に、記録媒体２６または記録媒体３０が取り出されたか否かを判定する。また、記録媒体判定部１２２は、記録媒体検出部１２１から供給される検出結果を基に、記録媒体２６または記録媒体３０が装着されたか否かを判定する。記録媒体判定部１２２は、判定結果を表示制御部１２３に供給する。
【０１４５】
表示制御部１２３は、記録媒体判定部１２２から供給される判定結果を基に、各種のボタン（アイコン）（例えば、後述するボタン１４１ａ乃至ボタン１４１ｃ）などの画像データと、撮影された被写体の画像データとが重畳している画像データに対応する所定の画面が、LCDパネル３４の画面に表示されるように表示を制御する。
【０１４６】
次に、デジタルビデオカメラ１０１の動作について説明する。ユーザは、デジタルビデオカメラ１０１を使用するとき、まず、電源ボタン３１ａを押下して電源をオンする。マイクロプロセッサ２１は、電源ボタン３１ａを介してユーザより電源オンが指示されたとき、図１１のフローチャートに示される、電源立ち上げ時のボタン表示の処理を各部に実行させる。
【０１４７】
なお、デジタルビデオカメラ１０１には、記録媒体２６として磁気テープ、記録媒体３０としてメモリカードがそれぞれ適宜装着される。
【０１４８】
ステップＳ５１において、記録媒体検出部１２１は、磁気テープの装着を検出し、検出結果を記録媒体判定部１２２に供給する。
【０１４９】
ステップＳ５２において、記録媒体判定部１２２は、記録媒体検出部１２１から供給される検出結果を基に、デジタルビデオカメラ１０１に磁気テープが装着されているか否かを判定する。
【０１５０】
ステップＳ５２において、磁気テープが装着されていると判定された場合、ステップＳ５３に進み、表示制御部１２３は、記録媒体判定部１２２から供給される判定結果を基に、磁気テープ装着時に表示させる所定の画面をLCDパネル３４の画面に表示させる。
【０１５１】
例えば、ステップＳ５３において、表示制御部１２３は、記録媒体判定部１２２から供給される判定結果を基に、図１２に示すような、磁気テープに記録されている動画像（静止画像）のレビューを指示するためのボタン１４１ａおよび操作項目の一覧であるメニュー画面の表示を指示するためのボタン１４１ｃが、被写体の画像に重畳されている画像をLCDパネル３４の画面に表示させる。
【０１５２】
すなわち、デジタルビデオカメラ１０１では、電源がオンされ、かつ、磁気テープのみが装着されているとき、磁気テープに記録されている動画像のレビューおよびメニュー画面がそれぞれ有効な機能（ユーザにより操作される可能性のある機能）となっているので、それらの機能の動作を指示するボタン１４１ａおよびボタン１４１ｃのそれぞれが、LCDパネル３４の画面に表示されている。
【０１５３】
図１１のフローチャートに戻り、一方、ステップＳ５２において、磁気テープが装着されていないと判定された場合、ボタン１４１ａを表示させる必要がないので、ステップＳ５３の処理をスキップして、ステップＳ５４の処理に進む。
【０１５４】
ステップＳ５４において、記録媒体検出部１２１は、メモリカードの装着を検出し、検出結果を記録媒体判定部１２２に供給する。
【０１５５】
ステップＳ５５において、記録媒体判定部１２２は、記録媒体検出部１２１から供給される検出結果を基に、デジタルビデオカメラ１０１にメモリカードが装着されているか否かを判定する。
【０１５６】
ステップＳ５５において、メモリカードが装着されていると判定された場合、ステップＳ５６に進み、表示制御部１２３は、記録媒体判定部１２２から供給される判定結果を基に、メモリカード装着時に表示させる所定の画面をLCDパネル３４の画面に表示させて、デジタルビデオカメラ１０１による、電源立ち上げ時のボタン表示の処理を終了する。
【０１５７】
例えば、ステップＳ５６において、表示制御部１２３は、記録媒体判定部１２２から供給される判定結果を基に、図１３に示すような、メモリカードに記録されている静止画像（動画像）のレビューを指示するためのボタン１４１ｂおよびボタン１４１ｃが、被写体の画像に重畳されている画像をLCDパネル３４の画面に表示させる。
【０１５８】
すなわち、デジタルビデオカメラ１０１では、電源がオンされ、かつ、メモリカードのみが装着されているとき、メモリカードに記録されている静止画像のレビューおよびメニュー画面がそれぞれ有効な機能（ユーザにより操作される可能性のある機能）となっているので、それらの機能の動作を指示するボタン１４１ｂおよびボタン１４１ｃのそれぞれが、LCDパネル３４の画面に表示されている。
【０１５９】
また、図１１の電源立ち上げ時のボタン表示の処理によって、表示制御部１２３は、記録媒体判定部１２２から供給される判定結果を基に、磁気テープとメモリカードとの両方が装着されていると判定された場合、図１４に示すような、ボタン１４１ａ乃至ボタン１４１ｃのそれぞれが、被写体の画像に重畳されている画像をLCDパネル３４の画面に表示させる。
【０１６０】
すなわち、デジタルビデオカメラ１０１では、電源がオンされ、かつ、磁気テープとメモリカードとの両方が装着されているとき、磁気テープに記録されている動画像のレビュー、またはメモリカードに記録されている静止画像のレビュー、およびメニュー画面がそれぞれ有効な機能（ユーザにより操作される可能性のある機能）となっているので、それらの機能の動作を指示するボタン１４１ａ乃至ボタン１４１ｃのそれぞれが、LCDパネル３４の画面に表示されている。
【０１６１】
図１１のフローチャートに戻り、一方、ステップＳ５５において、メモリカードが装着されていないと判定された場合、ボタン１４１ｂを表示させる必要がないので、ステップＳ５６の処理をスキップして、デジタルビデオカメラ１０１による、電源立ち上げ時のボタン表示の処理を終了する。
【０１６２】
また、図１１の電源立ち上げ時のボタン表示の処理によって、表示制御部１２３は、記録媒体判定部１２２から供給される判定結果を基に、磁気テープとメモリカードとの両方がともに装着されていないと判定された場合、図１５に示すような、ボタン１４１ｃのみが、被写体の画像に重畳されている画像をLCDパネル３４の画面に表示させる。
【０１６３】
すなわち、デジタルビデオカメラ１０１では、電源がオンされ、かつ、磁気テープとメモリカードとの両方がともに装着されていないとき、メニュー画面のみが有効な機能（ユーザにより操作される可能性のある機能）となっているので、その機能の動作を指示するボタンであるボタン１４１ｃのみが、LCDパネル３４の画面に表示されている。
【０１６４】
このように、デジタルビデオカメラ１０１では、装着されていない記録媒体による機能を指示するボタンを非表示にしているので、本来、撮影する画像を確認するためのLCDパネル３４に不要なボタンが表示されず、ボタンにより撮影する画像が隠れてしまうことを防止することができる。
【０１６５】
また、装着できる２つの記録媒体（例えば、磁気テープとメモリカード）のうち、片方の記録媒体（例えば、磁気テープ）しか使用しないユーザにとっては、もう一方の記録媒体（例えば、メモリカード）に関する機能を指示するボタン（例えば、ボタン１４１ｂ）は不要となるが、デジタルビデオカメラ１０１では、装着されていない記録媒体による機能を指示するボタンを非表示にしているので、使用しないボタンを表示しないようにすることができる。その結果、ユーザは、使用しないボタンが常に表示されていることから受ける不快感から解放されるようになる。
【０１６６】
なお、上述した例においては、磁気テープ装着時にLCDパネル３４の画面に表示されるボタンとして、ボタン１４１ａとボタン１４１ｃを説明し、メモリカード装着時に表示されるボタンとして、ボタン１４１ｂとボタン１４１ｃのそれぞれを説明したが、本発明はそれに限定されるものではない。
【０１６７】
具体的には、ボタン１４１ａおよびボタン１４１ｃのそれぞれは、磁気テープ装着時に有効となる磁気テープとメニューに関する機能を指示するためのボタンであるが、もちろん、その他の磁気テープ装着時に有効となる機能を指示するためのボタンであってもよいし、ボタン１４１ｂおよびボタン１４１ｃのそれぞれは、メモリカード装着時に有効となるメモリカードとメニューに関する機能を指示するためのボタンであるが、もちろん、その他のメモリカード装着時に有効となる機能を指示するためのボタンであってもよい。
【０１６８】
また、例えば、磁気テープに関する機能を指示するボタンとして、ボタン１４１ａを一例として説明したが、本実施の形態では、磁気テープに記録されている動画像（静止画像）の削除、撮影する動画像（静止画像）の記録フォーマットやサイズの変更、動画像（静止画像）の撮影などの、磁気テープに関する各種の機能を指示するためのボタンであればよい。また、同様に、例えば、メモリカードに関する機能を指示するボタンとして、ボタン１４１ｂを一例として説明したが、本実施の形態では、メモリカードに記録されている静止画像（動画像）の削除、撮影する静止画像（動画像）の記録フォーマットやサイズの変更、静止画像（動画像）の撮影などの、メモリカードに関する各種の機能を指示するためのボタンであればよい。
【０１６９】
すなわち、磁気テープ装着時において、デジタルビデオカメラ１０１では、磁気テープ装着時に有効となる機能を指示するボタンを表示させ、磁気テープ装着時に無効となる機能を指示するボタンは非表示にしているので、それらの条件を満たすボタンであればいずれであってもよい。また、メモリカード装着時にいおいて、デジタルビデオカメラ１０１では、メモリカード装着時に有効となる機能を指示するボタンを表示させ、メモリカード装着時に無効となる機能を指示するためのボタンは非表示にしているので、それらの条件を満たすボタンであればいずれであってもよい。
【０１７０】
ところで、上述した、図１１のフローチャートでは、電源立ち上げ時のボタン表示の処理について説明したが、電源立ち上げ時に限らず、デジタルビデオカメラ１０１から記録媒体２６や記録媒体３０を取り出したり、記録媒体２６や記録媒体３０をデジタルビデオカメラ１０１に装着したりした場合でも、LCDパネル３４の画面に表示されているボタンの表示を制御することができる。
【０１７１】
以下、まず、図１６のフローチャートを参照して、磁気テープ取り出し時のボタン表示の処理を説明し、その後、図１７のフローチャートを参照して、磁気テープ装着時のボタン表示の処理について説明する。
【０１７２】
なお、図１６と図１７のフローチャートでは、磁気テープを記録媒体２６の一例として説明するが、もちろん、それに限らず、他の記録媒体であってもよいし、例えば、メモリカードなどの記録媒体３０でも同様の処理が行われる。また、図１６では、デジタルビデオカメラ１０１に磁気テープが装着されており、図１７では、デジタルビデオカメラ１０１に磁気テープが装着されていないものとして説明する。
【０１７３】
マイクロプロセッサ２１は、電源ボタン３１ａを介してユーザにより電源オンが指示され、デジタルビデオカメラ１０１の電源がオンになったとき、図１６のフローチャートに示される、磁気テープ取り出し時のボタン表示の処理を各部に実行させる。
【０１７４】
ステップＳ７１において、記録媒体検出部１２１は、磁気テープの装着を検出し、検出結果を記録媒体判定部１２２に供給する。
【０１７５】
ステップＳ７２において、記録媒体判定部１２２は、記録媒体検出部１２１から供給される検出結果を基に、デジタルビデオカメラ１０１から磁気テープが取り出されたか否かを判定する。
【０１７６】
ステップＳ７２において、磁気テープが取り出されていないと判定された場合、ステップＳ７１に戻り、上述した処理が繰り返される。すなわち、デジタルビデオカメラ１０１は、磁気テープが取り出されるまで、ユーザの操作に応じた動作をすることになる。
【０１７７】
一方、ステップＳ７２において、磁気テープが取り出されたと判定された場合、ステップＳ７３に進み、表示制御部１２３は、記録媒体判定部１２２から供給される判定結果を基に、磁気テープ用のレビューボタンを非表示している所定の画面をLCDパネル３４の画面に表示させて、デジタルビデオカメラ１０１による、磁気テープ取り出し時のボタン表示の処理を終了する。
【０１７８】
例えば、ステップＳ７３において、表示制御部１２３は、記録媒体判定部１２２から供給される判定結果を基に、上述した、図１３または図１５に示すような、磁気テープに記録されている動画像（静止画像）のレビューを指示するためのボタン１４１ａが、被写体の画面に重畳されていない画像をLCDパネル３４の画面に表示させる。
【０１７９】
具体的には、デジタルビデオカメラ１０１においては、磁気テープとメモリカードとの両方が装着されている場合、上述した、図１４に示すような、ボタン１４１ａ乃至ボタン１４１ｃのそれぞれが、被写体の画像に重畳された画像がLCDパネル３４の画面に表示されるが、このとき、ユーザにより磁気テープが取り出されると、上述した、図１３に示すような、ボタン１４１ｂおよびボタン１４１ｃのそれぞれが、被写体の画像に重畳された画像がLCDパネル３４の画面に表示されることになる。
【０１８０】
また、デジタルビデオカメラ１０１においては、磁気テープのみが装着されている場合、上述した、図１２に示すような、ボタン１４１ａおよびボタン１４１ｃのそれぞれが、被写体の画像に重畳された画像がLCDパネル３４の画面に表示されるが、このとき、ユーザにより磁気テープが取り出されると、上述した、図１５に示すような、ボタン１４１ｃのみが、被写体の画像に重畳された画像がLCDパネル３４の画面に表示されることになる。
【０１８１】
すなわち、デジタルビデオカメラ１０１では、電源がオンされ、かつ、磁気テープが取り出されたとき、磁気テープに記録されている動画像（静止画像）のレビューが無効な機能（ユーザにより操作される可能性のない機能）となるので、その機能の動作を指示するボタン１４１ａが、LCDパネル３４の画面に表示されないようにしている。
【０１８２】
また、マイクロプロセッサ２１は、電源ボタン３１ａを介してユーザにより電源オンが指示され、デジタルビデオカメラ１０１の電源がオンになったとき、図１７のフローチャートに示される、磁気テープ装着時のボタン表示の処理を各部に実行させる。
【０１８３】
ステップＳ９１において、記録媒体検出部１２１は、磁気テープの装着を検出し、検出結果を記録媒体判定部１２２に供給する。
【０１８４】
ステップＳ９２において、記録媒体判定部１２２は、記録媒体検出部１２１から供給される検出結果を基に、デジタルビデオカメラ１０１に磁気テープが装着されたか否かを判定する。
【０１８５】
ステップＳ９２において、磁気テープが装着されていないと判定された場合、ステップＳ９１に戻り、上述した処理が繰り返される。すなわち、デジタルビデオカメラ１０１は、磁気テープが装着されるまで、ユーザの操作に応じた動作をすることになる。
【０１８６】
一方、ステップＳ９２において、磁気テープが装着されたと判定された場合、ステップＳ９３に進み、表示制御部１２３は、記録媒体判定部１２１から供給される判定結果を基に、磁気テープ用のレビューボタンを表示している所定の画面をLCDパネル３４の画面に表示させて、デジタルビデオカメラ１０１による、磁気テープ装着時のボタン表示の処理を終了する。
【０１８７】
例えば、ステップＳ９３において、表示制御部１２３は、記録媒体判定部１２１から供給される判定結果を基に、上述した、図１２または図１４に示すような、磁気テープに記録されている動画像（静止画像）のレビューを指示するためのボタン１４１ａが、被写体の画面に重畳されている画像をLCDパネル３４の画面に表示させる。
【０１８８】
具体的には、デジタルビデオカメラ１０１においては、磁気テープとメモリカードとの両方が装着されていない場合、上述した、図１５に示すような、ボタン１４１ｃのみが、被写体の画像に重畳された画像がLCDパネル３４の画面に表示されるが、このとき、ユーザにより磁気テープが装着されると、上述した、図１２に示すような、ボタン１４１ａおよびボタン１４１ｃのそれぞれが、被写体の画像に重畳された画像がLCDパネル３４の画面に表示されることになる。
【０１８９】
また、デジタルビデオカメラ１０１においては、メモリカードのみが装着されている場合、上述した、図１３に示すような、ボタン１４１ｂおよびボタン１４１ｃのそれぞれが、被写体の画像に重畳された画像がLCDパネル３４の画面に表示されるが、このとき、ユーザにより磁気テープが装着されると、上述した、図１４に示すような、ボタン１４１ａ乃至ボタン１４１ｃのそれぞれが、被写体の画像に重畳された画像がLCDパネル３４の画面に表示されることになる。
【０１９０】
すなわち、デジタルビデオカメラ１０１では、電源がオンされ、かつ、磁気テープが装着されたとき、磁気テープに記録されている動画像（静止画像）のレビューが有効な機能（ユーザにより操作される可能性のある機能）となるので、その機能の動作を指示するボタン１４１ａが、LCDパネル３４の画面に表示されるようにしている。
【０１９１】
このように、デジタルビデオカメラ１０１では、装着されている記録媒体（例えば、磁気テープやメモリカードなど）やモード（例えば、「テープ撮影モード」や「メモリカード撮影モード」など）とは関係なく、記録媒体の装着の有無により、LCDパネル３４の画面に表示されているボタンの表示を変更することができる。
【０１９２】
すなわち、デジタルビデオカメラ１０１では、装着されている記録媒体やモードに関係なく、記録媒体が装着されているか否かにより、ある記録媒体が装着されていないとき、その記録媒体に関する機能を指示するボタンを非表示にしているので、必要のないボタンを表示しないようにすることができる。その結果、例えば、メモリカードを使用しないユーザは、メモリカードを装着しないことにより、メモリカードに関する機能を指示するボタン１４１ｂがLCDパネル３４の画面に表示されなくなるので、より快適にデジタルビデオカメラ１０１を使用することができる。
【０１９３】
なお、上述したように、図１６と図１７のフローチャートにおいては、磁気テープ（記録媒体２６）の取り出し時と装着時の処理について説明したが、メモリカード（記録媒体３０）の取り出し時と装着時の処理についても、同様に処理される。
【０１９４】
ところで、上述した例においては、デジタルビデオカメラ１１が撮影中であるかによって、LCDパネル３４の画面に表示されるボタンの表示を制御していたが、デジタルビデオカメラ１１が、磁気テープやメモリカードなどに記録された画像データを再生するときでも、同様に、LCDパネル３４の画面に表示されるボタンの表示を制御することができる。以下、図１８と図１９を参照して、再生時のボタン表示について説明する。
【０１９５】
デジタルビデオカメラ１１は、例えば、磁気テープに記録されている画像データを再生する前である場合、図１８に示すように、メモリカードに記録されている画像データの再生を指示するためのボタン１６１ａ、メモリカードのフォーマットやサイズの変更などメモリカードに関する設定を行うためのボタン１６１ａ'、再生する画像の巻き戻しを指示するためのボタン１６１ｂ、画像の再生を指示するためのボタン１６１ｃ、再生する画像の早送りを指示するためのボタン１６１ｄ、および操作項目の一覧であるメニュー画面の表示を指示するためのメニューボタン１６１ｅのそれぞれが、LCDパネル３４の画面に表示されている。
【０１９６】
ここで、ボタン１６１ｃを介してユーザにより磁気テープに記録されている画像データの再生が指示され、画像が再生されたとき、デジタルビデオカメラ１１は、図１９に示すように、ボタン１６１ｂ乃至ボタン１６１ｅと、メモリカードに記録されている画像データの再生を指示するためのボタン１６１ａおよびメモリカードに関する設定を行うためのボタン１６１ａ'の代わりに、再生している画像の停止を指示するためのボタン１６１ｆのそれぞれが、LCDパネル３４の画面に表示されている。
【０１９７】
すなわち、デジタルビデオカメラ１１では、磁気テープに記録されている画像データが再生されたとき、メモリカードに記録されている画像データを再生や設定をする機能は無効（ユーザにより操作される可能性のない機能）となるので、ボタン１６１ａおよびボタン１６１ａ'の代わりに、再生している画像の停止を指示するためのボタン１６１ｆが、LCDパネル３４の画面に表示されている。
【０１９８】
このように、デジタルビデオカメラ１１では、装着されている記録媒体（例えば、磁気テープやメモリカードなど）やモード（例えば、「テープ撮影モード」や「メモリカード撮影モード」など）とは関係なく、再生中に無効となる機能を指示するためのボタンを非表示にすることができる。その結果、ユーザは、使用できないボタンが表示されないので、より快適にデジタルビデオカメラ１１を使用することができる。
【０１９９】
以上のように、本発明によれば、操作性を向上させることができる。
【０２００】
また、本発明によれば、デジタルビデオカメラで撮影しているとき、記録媒体やモードとは関係なく、撮影中に無効となる機能を指示するためのボタンを非表示にすることができる。その結果、ユーザは、表示されている画像が見やすくなるので、より確実に、撮影されている画像を確認しながら撮影をすることができる。
【０２０１】
さらに、本発明によれば、記録媒体やモードとは関係なく、デジタルビデオカメラに装着されていない記録媒体に関する機能を指示するためのボタンを非表示にすることができる。その結果、ユーザは、自分の使用する機能を指示するためのボタンのみが表示されているので、より快適に、デジタルビデオカメラを操作することができる。
【０２０２】
なお、上述した例においては、磁気テープとメモリカードの２つの記録媒体について説明したが、本発明はそれに限らず、３つ以上の複数の記録媒体を装着した場合でも適用できる。また、上述した、「電源オフ」とは、機械的オフの他、サスペンドやスリープ状態も含むものとする。
【０２０３】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２０４】
図２０は、上述した一連の処理をプログラムにより実行するパーソナルコンピュータの構成の例を示すブロック図である。CPU（Central Processing Unit）２１１は、ROM（Read Only Memory）２１２、または記録部２１８に記録されているプログラムに従って各種の処理を実行する。RAM（Random Access Memory）２１３には、CPU２１１が実行するプログラムやデータなどが適宜記憶される。これらのCPU２１１、ROM２１２、およびRAM２１３は、バス２１４により相互に接続されている。
【０２０５】
CPU２１１にはまた、バス２１４を介して入出力インターフェース２１５が接続されている。入出力インターフェース２１５には、スイッチ、マイクロホンなどよりなる入力部２１６、ディスプレイ、スピーカなどよりなる出力部２１７が接続されている。CPU２１１は、入力部２１６から入力される指令に対応して各種の処理を実行する。そして、CPU２１１は、処理の結果を出力部２１７に出力する。
【０２０６】
入出力インターフェース２１５に接続されている記録部２１８は、例えばハードディスクからなり、CPU２１１が実行するプログラムや各種のデータを記録する。通信部２１９は、インターネットやローカルエリアネットワークなどのネットワークを介して外部の装置と通信する。また、通信部２１９を介してプログラムを取得し、記録部２１８に記録してもよい。
【０２０７】
入出力インターフェース２１５に接続されているドライブ２２０は、磁気ディスク、光ディスク、光磁気ディスク、または半導体メモリなどのリムーバブルメディア２２１が装着されたとき、それらを駆動し、そこに記録されているプログラムやデータなどを取得する。取得されたプログラムやデータは、必要に応じて記録部２１８に転送され、記録される。
【０２０８】
コンピュータにインストールされ、コンピュータによって実行可能な状態とされるプログラムを格納するプログラム記録媒体は、図２０に示すように、磁気ディスク（フレキシブルディスクを含む）、光ディスク（CD-ROM(Compact Disc-Read Only Memory),DVDを含む）、光磁気ディスク、もしくは半導体メモリなどよりなるパッケージメディアであるリムーバブルメディア２２１、または、プログラムが一時的もしくは永続的に格納されるROM２１２や、記録部２１８を構成するハードディスクなどにより構成される。プログラム記録媒体へのプログラムの格納は、必要に応じてルータ、モデムなどのインターフェースである通信部２１９を介して、ローカルエリアネットワーク、インターネット、デジタル衛星放送といった、有線または無線の通信媒体を利用して行われる。
【０２０９】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２１０】
また、本発明の実施の形態は、上述した実施の形態に限定されるものではなく、本発明の要旨を逸脱しない範囲において種々の変更が可能である。
【図面の簡単な説明】
【０２１１】
【図１】従来のデジタルビデオカメラの画面を説明する図である。
【図２】従来のデジタルビデオカメラの画面を説明する図である。
【図３】従来のデジタルビデオカメラの画面を説明する図である。
【図４】本発明を適用したデジタルビデオカメラの一実施の形態の構成を示すブロック図である。
【図５】図４のデジタルビデオカメラの機能的構成例を示すブロック図である。
【図６】撮影時のボタン表示の処理について説明するフローチャートである。
【図７】撮影時以外のLCDパネルの画面の例を示す図である。
【図８】撮影時のLCDパネルの画面の例を示す図である。
【図９】本発明を適用したデジタルビデオカメラの一実施の形態の他の構成を示すブロック図である。
【図１０】図９のデジタルビデオカメラの機能的構成例を示すブロック図である。
【図１１】電源立ち上げ時のボタン表示の処理について説明するフローチャートである。
【図１２】電源立ち上げ時のLCDパネルの画面の例を示す図である。
【図１３】電源立ち上げ時のLCDパネルの画面の例を示す図である。
【図１４】電源立ち上げ時のLCDパネルの画面の例を示す図である。
【図１５】電源立ち上げ時のLCDパネルの画面の例を示す図である。
【図１６】磁気テープ取り出し時のボタン表示の処理について説明するフローチャートである。
【図１７】磁気テープ装着時のボタン表示の処理について説明するフローチャートである。
【図１８】再生前のLCDパネルの画面の例を示す図である。
【図１９】再生中のLCDパネルの画面の例を示す図である。
【図２０】パーソナルコンピュータの構成を示すブロック図である。
【符号の説明】
【０２１２】
１１  デジタルビデオカメラ，  ２１  マイクロプロセッサ，  ２２  レンズ，  ２３  CCD，  ２４  ビデオ信号処理回路，  ２５  記録再生処理部，  ２６  記録媒体，  ２７  スチルカメラ信号処理回路，  ２８  一時記憶部，  ２９  記録再生処理回路，  ３０  記録媒体，  ３１  操作部，  ３１ａ  電源ボタン，  ３１ｂ  撮影ボタン，  ３２  オンスクリーンディスプレイ回路，  ３３  重畳部，  ３４  LCDパネル，  ４１  タッチパネル，  ５１  操作検出部，  ５２  操作判定部，  ５３  表示制御部，  １０１  デジタルビデオカメラ，  １１１  検出部，  １１２  検出部，  １２１  記録媒体検出部，  １２２  記録媒体判定部，  １２３  表示制御部
【図１】
2007194804.tif 000003
【図２】
2007194804.tif 000004
【図３】
2007194804.tif 000005
【図４】
2007194804.tif 000006
【図５】
2007194804.tif 000007
【図６】
2007194804.tif 000008
【図７】
2007194804.tif 000009
【図８】
2007194804.tif 000010
【図９】
2007194804.tif 000011
【図１０】
2007194804.tif 000012
【図１１】
2007194804.tif 000013
【図１２】
2007194804.tif 000014
【図１３】
2007194804.tif 000015
【図１４】
2007194804.tif 000016
【図１５】
2007194804.tif 000017
【図１６】
2007194804.tif 000018
【図１７】
2007194804.tif 000019
【図１８】
2007194804.tif 000020
【図１９】
2007194804.tif 000021
【図２０】
2007194804.tif 000022